(57)【要約】【課題】操作する指の負担軽減を図るとともに開閉操作を良好にした金具とする。【解決手段】外側に紐体を連結する連結部１を取り付けた切り欠き部２を有する断面略Ｃ状の管状本体３内に、切り欠き部２を開閉するための押さえ部４ａ、４ｂを有する通い芯５と通い芯６と、双方の通い芯を、切り欠き部２を閉じる方向に押圧するためのコイルバネ１１とを組み込んでなり、通い芯５と通い芯６は、切り欠き部２を中心として略対向位置に設けてなるものである。【選択図】図３
2011161117.tif 000002
【特許請求の範囲】
【請求項１】
外側に紐体を連結する連結部を取り付けた切り欠き部を有する断面略Ｃ状の管状本体内に、前記切り欠き部を開閉するための押さえ部を有する通い芯２個と、該通い芯を前記切り欠き部を閉じる方向に押圧するためのコイルバネとを組み込んでなり、前記切り欠き部を中心として略対向位置に当該通い芯を設けてなることを特徴とした装身用引輪金具。
【請求項２】
前記押さえ部を有する通い芯は、長手方向と直交する方向の断面が略矩形状とするとともに該押さえ部は管状本体の周方向断面に対して外向きにてＬ字状に形成し設けてなることを特徴とした請求項１に記載の装身用引輪金具。
【請求項３】
前記の押さえ部を有する通い芯の一端は、コイルバネの内側に入り込ませて構成したことを特徴とした請求項１または請求項２記載の装身用引輪金具。
【発明の詳細な説明】
【技術分野】
【０００１】
本発明は、装身具であるネックレス、ブレスレット等のアクセサリーチェーン及び紐体の一端に取り付ける引輪金具に関する。            
【背景技術】
【０００２】
装身具であるネックレス、ブレスレット等のアクセサリーチェーン及び紐体の一端に取り付けて該装身具・紐体の両端部を連結して輪状に形成させる引輪金具が種々提案されている。
例えば、中空管を円形に形成した基環の切離部近くの表側に作動溝及び切溝を連続的に刻設し、かつ、連結環を設け、他の切離部近くに停止基を内設してばね体を介し、把手をろう付けした作動杵を前記作動溝および切溝から挿入してなる引輪は周知である（例えば、特許文献１参照。）。
【０００３】
また、一部に切欠部を設けた輪体に、先端に前記輪体内外に突出する突出部を設けた閉鎖体を前記切欠部の一端から摺動自在に嵌合し、この閉鎖体を該切欠部の他端に向けて付勢した止輪環がある（例えば、特許文献２参照。）。
【０００４】
また、上記特許文献１、２を基に改良することで操作性向上を目的とした構成の引輪金具も種々提案されている。
例えば、切り欠き部を有するリングと、前記リングより径大で中途部に係止部を設けかつ取手金具を取り付けた中空短管と、前記中空短管を前記リングの両端部に摺動自在に嵌合して閉方向に付勢するバネとからなり、前記取手金具が、上部に小孔を備えた装飾用引輪がある（例えば、特許文献３参照。）。
【０００５】
また、中空のリング状などの形状をした基環と該基環の外側に取り付けられた二つの幹枝部を有するつまみ部材とからなり、前記基環に不連続部分を形成する開放部を形成し、前記基環の中空内部に前記開放部を開閉する閉塞体を摺動可能に嵌装するとともに前記閉塞体を閉方向に付勢するコイルスプリングなどの弾性体を嵌装し、前記つまみ部材の一方の幹枝部を前記基環の外側に取り付け、他の幹枝部を基環に形成されたつまみ部材移動用のスリット部に於いて前記閉塞体に連接し、このつまみ部材をつまむことにより前記閉塞体を摺動移動させて基環の開放部を開閉する構成とした連結部材がある（例えば、特許文献４参照。）。
【０００６】
また、管状の円環と、中芯部と、コイルバネとからなる引輪金具において、
管状の円環は、一部に切り欠き部と、該切り欠き部の一端よりわずかに離れた外周にスリットと、該スリットよりわずかに離れた外周に鎖または紐状体の一端と連結するＵ字環と、前記切り欠き部の他端よりわずかに離れた管内に停止部とを設けて形成し、中芯部は、板材を加工して前記管状の円環内に移動可能な状態で配置して、前記切り欠き部を閉塞するように前記管状の円環端部より突出するとともに操作性向上目的として指のかかりをよくするために前記Ｕ字環の高さ寸法に対して同等もしくは大きい形状とした前記スリットより突出する取っ手部を設けて形成し、前記管状の円環内に収容されるとともに前記中芯部が前記切り欠き部をふさぐ方向に付勢するコイルバネと、から構成される引輪金具がある（例えば、特許文献５参照。）。
【０００７】
また、一端で切断された切欠部を有する略環状の留め金具本体と、該留め金具本体内に内蔵されて前記切欠部を開閉する方向に摺動する開閉部材と、該開閉部材に一体に形成されて留め金具本体から外方に突出する摘み部とを有する引輪やカニカンなどの留め金具において、摘み部が、留め金具本体のスリットを通過する頸部と、該頸部の先端で開閉部材の開閉摺動方向と直交する方向の幅が留め金具本体の断面の直径よりも長く設定された広面からなる摘み本体とからなっている留め金具がある（例えば、特許文献６参照。）。
【０００８】
更に、円弧状に湾曲させた筒状の基体と、この基体に摺動自在に挿入するとともに前記基体の両端間に架け渡し状に配置可能とした半円弧状の軸体と、前記基体内に配設して前記軸体を付勢することにより前記軸体を前記基体の両端間に架け渡し状に配置するとともに、付勢に抗して前記軸体を摺動させることにより前記基体の両端間に間隙を形成可能とした付勢体とを備えた引輪において、
前記基体は、外側縁上の所定位置に周方向に伸延したスリットと、貫通孔とを備え、
前記軸体は、前記スリットから外方に向けて突出させた操作用突起と、前記貫通孔に係合する係合用突起とを備え、前記貫通孔と前記係合用突起とを前記付勢体による付勢力に抗して係合させることにより、前記基体の両端間に間隙を形成した状態を保持可能とした係止機構付き引輪がある（例えば、特許文献７参照。）。
【０００９】
しかしながら、特許文献３から特許文献７に記載の考案及び発明は、特許文献１、特許文献２に比べ、操作性は向上しているが管状の金具本体内に内蔵される開閉する方向に摺動する操作部を有する開閉部材は１個にて構成されているため、片手で開閉操作する場合、親指を起点として、人差し指または中指を操作部に宛がい操作する必要があり、人よっては使いにくい欠点があった。
【先行技術文献】
【特許文献】
【００１０】
【特許文献１】実開昭４９−１２０５９０号公報
【特許文献２】実開昭５８−１３９９１８号公報
【特許文献３】実開昭６１−１７７０１２号公報
【特許文献４】実開平０１−７７４１９号公報
【特許文献５】特開２００６−３１４８２０号公報
【特許文献６】特開２００８−３６２４４号公報
【特許文献７】特開２００８−１７３４３２号公報
【発明の概要】
【発明が解決しようとする課題】
【００１１】
本発明は、上記を鑑み解決しようとする問題点は、片手で開閉操作する場合、親指を起点として、人差し指または中指を操作部に宛がい操作する必要があり、当該操作部は引輪金具全体の大きさからして小さいために指の皮膚や爪にかかる負担が大きいのが現状であるため、操作する指の負担軽減を図るとともに品質の安定した製造コストの安い、使用に対しても連結、取り外しの開閉操作を良好にした装身用引輪金具の提供を目的とするものである。
【課題を解決するための手段】
【００１２】
前記目的を達成するために請求項１に係る発明は、
外側に紐体を連結する連結部を取り付けた切り欠き部を有する断面略Ｃ状の管状本体内に、前記切り欠き部を開閉するための押さえ部を有する通い芯２個と、該通い芯を前記切り欠き部を閉じる方向に押圧するためのコイルバネとを組み込んでなり、前記切り欠き部を中心として略対向位置に当該通い芯を設けてなるものである。
【００１３】
また、請求項２に係る発明は、請求項１に記載した引輪金具において、
前記押さえ部を有する通い芯は、長手方向と直交する方向の断面が略矩形状とするとともに押さえ部は管状本体の周方向断面に対して外向きにてＬ字状に形成し設けてなるものである。
【００１４】
更に、請求項３に係る発明は、請求項１または請求項２記載の引輪金具において、
前記の押さえ部を有する通い芯の一端は、コイルバネの内側に入り込ませて構成したことを特徴とした請求項１または請求項２記載の装身用引輪金具。
【発明の効果】
【００１５】
本発明の装身用引輪金具は、切り欠き部を開閉するための押さえ部を有する通い芯を２個設けた構成とすることで、切り欠き部に位置する通い芯は二重となり、強度が保たれるとともに連結機能も向上できるという利点がある。
【００１６】
また、切り欠き部を開閉するための押さえ部を有する通い芯を２個設け、当該押さえ部は管状本体の周方向断面に対して外向きにてＬ字状に形成した構成とすることで、前記押さえ部を親指と人差し指で挟み、残りの指でチェーンを保持することが容易となり、そして親指と人差し指で押さえ部を操作することにより、指の皮膚や爪にかかる負担を小さくして切り欠き部を開閉できるという利点がある。
【００１７】
更に、押さえ部を有する通い芯の一端は、コイルバネの内側に入り込ませた構成とすることで、前記通い芯は、開閉操作時に抜け出てこないという利点がある。
【図面の簡単な説明】
【００１８】
【図１】本発明に係わる実施例の構成を示す部品の正面図である。
【図２】本発明に係わる実施例を示す斜視図である。
【図３】本発明の金具を形成させた状態を、一部断面図を用いて示す概念図である。
【図４】本発明の金具の側面図を示す。
【図５】本発明の金具の切り欠き部の開口状態を、一部断面図を用いて示す概念図である。
【図６】本発明の金具の開閉操作状態を示す図である。
【発明を実施するための形態】
【００１９】
図面に基づいて、切り欠き部を開閉するための押さえ部を有する通い芯を２個設けた構成とすることで、切り欠き部に位置する通い芯は二重となり、強度が保たれるとともに連結機能も向上できる装身用引輪金具を提供するという目的を以下において説明する。
【００２０】
図１は、本発明の請求項１に係わる実施例を構成する部品を示し、
（ａ）は、断面略Ｃ状の管状本体３の正面図を示したものであり、管状本体３は、外側に紐体を連結する連結部１と、切り欠き部２と、切り欠き部２の両端よりわずかに離れた外周に作動溝８と、作動溝９を設けて形成した。
【００２１】
図１の（ｂ）と（ｃ）は、切り欠き部２を開閉するための通い芯５と、通い芯６の正面図を示したものであり、通い芯５と通い芯６はプレス加工にて板材を型抜きして押さえ部４ａ、押さえ部４ｂを設けて形成した。
【００２２】
また、押さえ部４ａを有する通い芯５と、押さえ部４ｂを有する通い芯６は、長手方向と直交する方向の断面が略矩形状とするとともに押さえ部４ａ、４ｂは管状本体３の周方向断面に対して外向きにてＬ字状に形成した。
実施にあたって、通い芯５と通い芯６は、板材をプレス加工にて形成したが限定するものではなく、ワイヤ放電加工、ロストワックス法などの加工手段を用いても良い。
【００２３】
図１の（ｄ）は、コイルバネ１１を図示したものであり、管状本体３内に収容されるとともに通い芯５と、通い芯６が管状本体３内より突出して切り欠き部２を閉塞する方向に付勢させるのに用いた。
【００２４】
図２は、図１に示した部品を用いて形成させた装身用引輪金具１０を斜視図で示し、図３は、図２を基に一部断面図を用いて示し、図４は側面図を示したものであり、
管状本体３内に管状本体端部７ｂよりコイルバネ１１を挿入し、そして、作動溝８より、通い芯５を管状本体３内に配置するとともに通い芯５の一端は、コイルバネ１１の一端内側に入り込ませ後、作動溝９より、通い芯６を管状本体３内に配置するとともに通い芯６の一端は、コイルバネ１１の他端内側に入り込ませることにより、当該通い芯はコイルバネ１１の付勢にて移動可能な状態となり、装身用引輪金具１０を形成させることができる。
【００２５】
図５は、切り欠き部２の開口状態を、一部断面図を用いて示ものであり、
切り欠き部２を閉塞状態より開口状態とするには、押さえ部４ａと押さえ部４ｂを同時に連結部１の方向へ引いて移動させることにより可能となる。
そして、押さえ部４ａと押さえ部４ｂを離せば、コイルバネ１１の押し圧する付勢により、通い芯５は管状本体端部７ａより、通い芯６は管状本体端部７ｂより、突出して切り欠き部２を閉塞した状態とすることができる。
【００２６】
図６は、本発明の装身用引輪金具１０の開閉操作状態を示す図であり、鎖２０を手の平、小指、薬指及び中指にて把持し、そして、押さえ部４ａを人差し指に当て、押さえ部４ｂを親指に当てるとともに押さえ部４ａと押さえ部４ｂを同時に押し圧することにより、容易に開閉操作を可能とするとともに指の皮膚や爪にかかる負担を小さくした装身用引輪金具１０となった。
【符号の説明】
【００２７】
１    連結部
２    切り欠き部
３    管状本体
４    押さえ部
５    通い芯
６    通い芯
７    管状本体端部  
８    作動溝
９    作動溝
１０    装身用引輪金具
１１    コイルバネ
２０    鎖
【図１】
2011161117.tif 000003
【図２】
2011161117.tif 000004
【図３】
2011161117.tif 000005
【図４】
2011161117.tif 000006
【図５】
2011161117.tif 000007
【図６】
2011161117.tif 000008